(57)【要約】【課題】電話帳データを有効に活用することで、スケジュールデータから簡易に該当する相手への発信、メール送信を行える通信端末装置であって、ユーザにとっての操作性を向上することができる通信端末装置を提供する。【解決手段】表示部７にアイコン表示を行なうことにより通信を促す報知を行なうように構成し、そのアイコンの選択操作によって該当するスケジュールデータの日付情報の詳細情報を参照することができ、更に、スケジュールデータに登録された相手に対して発信又はメールの送信が行なわれるように構成したので、スケジュールデータに登録された日付であることをユーザに判りやすく表示することができると共に、その相手に対する発信又はメール送信の操作の簡単化を図ることができる。【選択図】　図１
2004088479.tif 000002
【特許請求の範囲】
【請求項１】
時計機能を備えると共に、通信相手の電話番号等からなる電話帳データを登録し、その電話帳データを自在に呼出して発信することが可能な電話帳データ登録機能及びユーザ自身の予定等を登録し、管理できるスケジュール管理機能を備える通信端末装置であって、
前記スケジュール管理機能中の所定のスケジュールに関する日付情報を付加し、
前記日付情報が現在の日付に一致又は予め設定された期間内に前記日付情報が存在する場合に、該当するスケジュールに対する日付情報に関する表示を行なう報知制御部を備えることを特徴とする通信端末装置。
【請求項２】
前記報知制御部は、表示部にアイコン表示を行なうように構成されており、前記アイコンが選択操作されることに基づき、前記スケジュール管理機能によって該当するスケジュールの日付情報の一覧リストを表示することを特徴とする請求項１記載の通信端末装置。
【請求項３】
前記一覧リストは、表示された所定のスケジュールを選択することに基づき、当該スケジュールに登録された相手が前記電話帳データに存在する場合は、当該相手への発信又はメール送信が選択できることを特徴とする請求項２記載の通信端末装置。
【発明の詳細な説明】
【０００１】
【発明の属する技術分野】
本発明はユーザ自身の予定等を登録し、管理できるスケジュール管理機能を備える通信端末装置に関して、特に、登録されたスケジュールデータから通信相手への発信、メール送信が行える通信端末装置に関するものである。
【０００２】
【従来の技術】
通信端末装置、例えば携帯端末装置においては、一般に、ユーザ自身の今後の予定等を登録し、管理できるスケジュール管理機能を備えている。このスケジュール管理機能は、ユーザがキー操作部を操作することにより、携帯端末装置が有しているスケジュール帳に日時、場所、用件、相手等を入力することで、ユーザのスケジュールデータを登録し、その登録情報の日時になった場合に用件等を待ち受け画面に表示してユーザに報知することができる機能である。例えば、スケジュール帳に日時を「２００２年３月３１日１３時」、場所を「Ｘ店」、用件を「食事」、相手に「ＡさんとＢさん」と登録し、日時が２００２年３月３１日になった場合に、待ちうけ画面に「今日は１３時からＡさんとＢさんとＸ店で食事です。」というメッセージを表示することでユーザ自身に報知していた。
【０００３】
【発明が解決しようとする課題】
しかしながら、従来のスケジュール管理機能では、単に、日時、場所、用件、相手等のメッセージを報知するだけで、例えば、そのメッセージを見て待ち合わせ時間前に相手に連絡を取りたい場合は、予め登録されている電話帳データを呼出し、その電話帳データから該当する相手を探し出し、連絡しなければならず、使い勝手が悪いという問題があった。
【０００４】
したがって、本発明の目的は、電話帳データを有効に活用することで、スケジュールデータから簡易に該当する相手への発信、メール送信を行える通信端末装置であって、ユーザにとっての操作性を向上することができる通信端末装置を提供することである。
【０００５】
【課題を解決するための手段】
本発明の請求項１記載の携帯端末装置は、時計機能を備えると共に、通信相手の電話番号等からなる電話帳データを登録し、その電話帳データを自在に呼出して発信することが可能な電話帳データ登録機能及びユーザ自身の予定等を登録し、管理できるスケジュール管理機能を備える通信端末装置であって、前記スケジュール管理機能中の所定のスケジュールに関する日付情報を付加し、前記日付情報が現在の日付に一致又は予め設定された期間内に前記日付情報が存在する場合に、該当するスケジュールに対する日付情報に関する表示を行なう報知制御部を備えることを特徴とする。
【０００６】
次に、請求項２記載の通信端末装置は、請求項１記載の携帯端末装置において、前記報知制御部は、表示部にアイコン表示を行なうように構成されており、前記アイコンが選択操作されることに基づき、前記スケジュール管理機能によって該当するスケジュールの日付情報の一覧リストを表示することを特徴とする。
【０００７】
更に、請求項３記載の通信端末装置は、請求項２記載の携帯端末装置において、前記一覧リストは、表示された所定のスケジュールを選択することに基づき、当該スケジュールに登録された相手が前記電話帳データに存在する場合は、当該相手への発信又はメール送信が選択できることを特徴とする。
【０００８】
【発明の実施の形態】
以下、発明の実施の形態を通じて本発明を説明するが、以下の実施の形態はクレームにかかる発明を限定するものではなく、又実施形態の中で説明されている特徴の組合せの全てが発明の解決手段に必須であるとは限らない。
【０００９】
図１は、本発明に関わる携帯端末装置の構成を示す図である。図１の携帯無線端末装置は、基地局から電波を受けるアンテナ１と、前記アンテナ１で受けた電波の受信及び送信を行う無線回路部２と、音声を出力するスピーカー３と、電話番号や本体のソフトウェアを記憶するメモリ４と、信号処理など制御を行う制御部５と、現在の日付及び時刻並びに曜日を管理するタイマ部６と、画像情報の表示を行う表示部７と、押下された操作キー入力を行う入力部８と、音声を入力するマイク９から構成されている。
【００１０】
メモリ４は、例えば不揮発性メモリ（ＥＥＰＲＯＭ）等からなり、通信（通話やメールの送受信）等に係る制御プログラムや各種機能を実行するプログラムが記憶されると共に、スケジュールデータ、電話帳データ（メモリダイヤル）を含む各種データが記憶されるようになっている。
【００１１】
そして、この携帯端末装置は、スケジュール管理機能と称されるスケジュールデータの登録の機能を備えている。このスケジュールデータ登録機能は、制御部５の処理動作を中心としたソフトウエア的構成により実現され、ユーザが入力部７を操作することにより、相手名前、待ち合わせの場所、相手の特定の記念日や誕生日、アポイントメントを行なうべき日や定期的に連絡を行なうべき日等の日付情報等からなるスケジュールデータを、メモリ４のスケジュールデータ登録領域に登録（記憶）させておくものである。
【００１２】
また、この携帯端末装置は、メモリダイヤルと称される電話帳データの登録の機能を備えている。この電話帳データ登録機能は、制御部５の処理動作を中心としたソフトウエア的構成により実現され、ユーザが入力部７を操作することにより、良く電話をかけるような通信相手の、相手先名、振り仮名、電話番号、グループ番号、特定の記念日や誕生日、アポイントメントを行なうべき日や定期的に連絡を行なうべき日等の日付情報等からなる電話帳データを、メモリ４の電話帳データ登録領域に例えば最大５００件まで登録（記憶）させておくものである。
【００１３】
制御部５は報知制御部５１が備えられており、この報知制御部５１は、メモリ４に記憶されているスケジュールデータの相手の特定の記念日や誕生日、相手に対するアポイントメントを行なうべき日や定期的に連絡を行なうべき日等の日付情報とタイマ部６にある現在の日付を比較し、メモリ４に記憶されているスケジュールデータの日付情報とタイマ部６の日付が一致又はその近い日付になった時に、表示部７に該当する通信相手の日付情報を促す表示を行なう制御を行っている。
【００１４】
図２は、本発明に関わる携帯端末装置の待ち受け画面表示の一例を示す図である。図２（ａ）は携帯端末装置のメモリ４に記憶されているスケジュールデータの日付情報とタイマ部６の日付が一致した時に、表示部７に該当する通信相手の日付情報を促す表示を行なう一例である。表示部７の待受け画面２０１において、今日がＡさん、Ｂさん、Ｃさんと食事を行う場合は「今日は１２時からＡさん、Ｂさん、ＣさんとＸ店で食事です。」という表示や、更に今日がＤさん、Ｅさんと会議を行う場合は「今日は１５時からＤさん、ＥさんとＹ社で会議です。」という表示を行う。ここで、スケジュールデータの日付情報とタイマ部６の日付が一致した情報が複数ある場合は、待ち受け画面２０１に複数の情報を表示することができ、この情報が待ち受け画面２０１の一画面ないに表示しきれない場合は、画面をスクロールして表示を行っても良い。また、２０２は、ここでは「今日は１２時からＡさん、Ｂさん、ＣさんとＸ店で食事です。」という表示を反転表示させたものである。例えば、反転表示内の詳細情報を知りたい場合、表示内の相手に電話をかけたい場合、メールを送信したい場合は、知りたい情報が含まれている情報に反転表示のカーソルを合わせ、入力部８のキー操作を行うことによって反転表示内の詳細表示を行うことができる。ここで、反転表示内の詳細情報を知りたい場合、表示内の相手に電話をかけたい場合、メールを送信したい場合等の方法に関しては、図３、図４で後述することにする。
【００１５】
また、種別に応じたアイコン表示を行なうことによってユーザに知らせるようになっている。アイコン表示は、例えば種別が食事であるときには、「フォークとナイフ」の絵柄のアイコン２０３を表示し、種別が会議のときには、「会」の絵柄のアイコン３０４を表示し、種別がドライブのときは、「車」の絵柄のアイコン３０５を表示するといったものである。そして、ユーザが入力部８を操作してそのアイコンを選択することにより、該当するアイコンに対する一覧が表示され、その一覧から電話帳データを呼び出し、発信やメール送信を行なうことができるようになっている。この一覧表示、電話帳データの呼び出し、発信やメール送信方法については図３、図４で後述することにする。
【００１６】
図２（ｂ）は携帯端末装置のメモリ４に記憶されているスケジュールデータの相手の日付情報とタイマ部６の日付がその近い日付になった時に、表示部７に該当する通信相手の日付情報を促す表示を行なう一例である。表示部７の待受け画面２０６は、図２（ａ）の待ち受け画面２０１に３日後のスケジュール情報、ここでは「３日後は１３時からＡさん、ＢさんとＺ会議室で会議です」という情報が追加されている。ここでは、３日後のスケジュール情報まで表示する一例を示したもので、この待ち受け画面内のスケジュール情報の表示期間設定はユーザが設定することができる。
【００１７】
図３は、本発明に関わる携帯端末装置の画面表示の一例を示す図である。図３（ａ）は図２（ａ）のアイコン２０３「フォークとナイフ」を選択した場合に表示される食事スケジュールリスト一覧の画面表示の一例である。表示部７の画面３０１において、食事スケジュールリスト一覧は「Ｎｏ」、「日程」からなっている。「Ｎｏ」は、食事スケジュールリスト一覧の日付情報が早いものから順番に並べた番号である。「日程」は、食事スケジュールリスト一覧の該当する食事の日がいつであるのか、及び何時に行われるのか、を表しているものである。更に、食事スケジュールリスト一覧に表示されている詳細情報を見たいときは、「Ｎｏ」情報に該当する食事スケジュール情報を選択すればよく、ここでは、「Ｎｏ」は「１」、「日程」は「本日１２時」を選択した場合の詳細情報の一例を見ることにする。
【００１８】
図３（ｂ）は図３（ａ）の食事スケジュールリスト一覧の「Ｎｏ．１」を選択した場合に表示される詳細情報の画面表示の一例である。また、この画面表示は、上述した図２（ａ）２０２の「今日は１２時からＡさん、Ｂさん、ＣさんとＸ店で食事です。」という表示を反転表示させたものを直接選択することで、この画面を表示することもできる。ここで、表示部７の画面３０３において、上述で説明した図３（ａ）の一例では「Ｎｏ．１」の食事の日程は本日１２時であるため、詳細情報として「今日は１２時からＡさん、Ｂさん、ＣさんとＸ店で食事です。」と表示されることになる。更に、この食事を行う予定の相手に、詳細情報表示内の「選択項目」で、相手に発信したり、メール作成を行うことができる。ここで、「選択項目」の「▲１▼電話」を選択をすれば食事を行う予定の相手に発信することができ、「▲２▼新規メール作成」を選択すればメールを作成することができ、「▲３▼キャンセル」を選択すれば図３（ａ）の画面３０２に戻ることができる。
【００１９】
図３（ｃ）は電話をかける相手の選択画面表示の一例である。ここで、図３（ｃ）の画面表示３０４は、図３（ｂ）の詳細情報表示３０３から「選択項目」の「▲１▼電話」を選択した一例であり、図３（ｂ）内に表示された食事予定相手が表示される。従って、電話をかける相手の選択項目は、「▲１▼Ａ」、「▲２▼Ｂ」、「▲３▼Ｃ」、及び、図３（ｂ）の画面表示に戻るための「▲４▼キャンセル」がある。ここで、Ａさんに電話をかけたい場合は、「▲１▼Ａ」を選択すれば、電話をかけることができる。Ｂさん又はＣさんに電話をかけたい場合も同様の操作を行うことで電話をかけることができる。従って、本発明の携帯端末装置では、スケジュール情報と電話帳データ登録機能を有効に利用し、発信したい相手の探索を簡単な操作で行えるため、操作性を向上することができる。
【００２０】
図３（ｄ）はメールを送信する相手のメール作成画面表示の一例である。ここで、図３（ｄ）の画面表示３０５は、図３（ｂ）の詳細情報表示３０３から「選択項目」の「▲２▼新規メール作成」を選択した一例であり、図３（ｂ）内に表示された食事予定相手が表示される。従って、メールを送信する相手の選択項目は、「▲１▼Ａ」、「▲２▼Ｂ」、「▲３▼Ｃ」、「▲４▼全員（同報メール）」、「▲５▼複数人選択（同報メール）」、及び、図３（ｂ）の画面表示に戻るための「▲６▼キャンセル」がある。ここで、Ａさん宛のメールを作成したい場合は、「▲１▼Ａ」を選択、Ｂさん宛のメールを作成したい場合は、「▲２▼Ｂ」を選択、Ｃさん宛のメールを作成したい場合は、「▲３▼Ｃ」を選択すれば、メールを作成したい相手へのメールを作成し、送信することができる。また、Ａさん、Ｂさん、Ｃさんの全ての相手に同様のメールの内容を作成し、送信したい場合は、「▲４▼全員（同報メール）」を選択すれば良く、ＡさんとＢさん、又はＡさんとＣさん、又はＢさんとＣさんのみの全員ではない複数人数に同様のメールの内容を作成し、送信したい場合は、「▲５▼複数人選択（同報メール）」を選択し、送信したい相手を複数人選べば、メールを作成したい相手へのメールを作成し、送信することができる。従って、本発明の携帯端末装置では、スケジュール情報と電話帳データ登録機能を有効に利用し、メールを作成したい相手への探索を簡単な操作で行えるため、操作性を向上することができる。
【００２１】
図３（ｅ）はスケジュール情報内に登録された相手が電話帳データに存在しない場合の画面表示の一例である。ここでは、図３（ｃ）の詳細情報表示３０４から「選択項目」の「▲３▼Ｃ」を選択し、Ｃさんの登録データが電話帳データに存在しない場合の一例である。このように、スケジュール情報内に登録された相手が電話帳データに存在しない場合は、電話をかけることができない。メールを作成したい相手のメールアドレスが存在しない場合も同様である。
【００２２】
図４は、本発明に関わる携帯端末装置の画面表示の一例を示す図である。図４（ａ）は図２（ａ）のアイコン２０４「会」を選択した場合に表示される会議スケジュールリスト一覧の画面表示の一例である。表示部７の画面４０１において、会議スケジュールリスト一覧は「Ｎｏ」、「日程」からなっている。「Ｎｏ」は、会議スケジュールリスト一覧の日付情報が早いものから順番に並べた番号である。「日程」は、会議スケジュールリスト一覧の該当する会議の日がいつであるのか、及び何時に行われるのか、を表しているものである。更に、会議スケジュールリスト一覧に表示されている詳細情報を見たいときは、「Ｎｏ」情報に該当する会議スケジュール情報を選択すればよく、ここでは、「Ｎｏ」は「２」、「日程」は「３日後の１３時」を選択した場合の詳細情報の一例を見ることにする。
【００２３】
図４（ｂ）は図４（ａ）の会議スケジュールリスト一覧の「Ｎｏ．２」を選択した場合に表示される詳細情報の画面表示の一例である。表示部７の画面４０３において、上述で説明した図４（ａ）の一例では「Ｎｏ．２」の会議の日程は３日後の１３時であるため、詳細情報として「３日後は１３時からＡさん、ＢさんとＺ会議室で会議です。」と表示されることになる。更に、この表示内の会議を行う予定の相手を画面表示４０４のように反転表示し、これを選択することで、この会議を行う予定の相手の個別のスケジュール一覧を表示することができる。ここでは、「Ａさん」を選択した場合の例を以下の図４（ｃ）を用いて説明する。
【００２４】
図４（ｃ）はスケジュール情報に記憶されている個別スケジュール一覧の画面表示の一例である。ここで、図４（ｃ）の画面表示４０５は、図４（ｂ）の詳細情報表示４０３から反転表示４０４の「Ａさん」を選択し、「Ａさん」に対するスケジュール情報の一覧情報を示した一例である。画面４０５では、「Ａさん」に関するスケジュール情報、「今日は１２時からＡさん、Ｂさん、ＣさんとＸ店で食事です。」と、「３日後は１３時からＡさん、ＢさんとＺ会議室で会議です。」が表示されることになる。ここでも、この表示を４０６のように反転表示させて、選択することで、詳細情報を見ることができる。例えば、「今日は１２時からＡさん、Ｂさん、ＣさんとＸ店で食事です。」という表示を選択した場合は、図３（ｂ）の画面表示３０３に移動することができ、「３日後は１３時からＡさん、ＢさんとＺ会議室で会議です。」という表示を選択した場合は、図４（ｂ）の画面表示４０３に移動することができる。また、更に、「Ａさん」に、詳細情報表示内の「選択項目」で、発信したり、メール作成を行うことができる。ここで、「選択項目」の「▲１▼電話」を選択をすれば「Ａさん」に発信することができ、「▲２▼新規メール作成」を選択すればメールを作成することができ、「▲３▼キャンセル」を選択すれば図４（ｂ）の画面４０３に戻ることができる。
【００２５】
次に、スケジュールデータに登録された日付情報とタイマ部６にある現在の日付を比較し、日付が一致又はその近い日付（ユーザが設定可能）になった時に、表示部７に該当するスケジュール項目の日付情報を促す表示及び発信並びにメール作成に係る処理手順を説明する。
【００２６】
図５は、スケジュールデータの日付情報に係る表示部の表示及び発信並びにメール作成に係る処理手順を示すフローチャートである。携帯端末装置の電源がオンされた状態では、まず、タイマ部６にある現在の日付とメモリ４に記憶されているスケジュールデータの日付情報とが報知制御部５１で参照され（ステップＳ１１）、スケジュールデータ中に現在の日付に一致又はユーザが予め設定した期間内に日付情報が存在するものがなければ（ステップＳ１２にてＮｏ）、表示部７には、通常の待受け画面が表示されるようになる（ステップＳ１３）。
【００２７】
これに対し、スケジュールデータ中に現在の日付に一致又はユーザが予め設定した期間内に日付情報が存在するものがあれば（ステップＳ１２にてＹｅｓ）、表示部７にはアイコンが付加された待受け画面及びスケジュール項目の日付情報に関する情報を文面で表示されるようになる（ステップＳ１４）。この場合、スケジュールデータの日付情報に応じた種類（スケジュール項目）のアイコンが表示され、複数の日付情報が該当していれば、その数だけアイコンが表示される。ユーザは、その表示部７のアイコンを見て、登録されている日付情報を容易に知ることができるのである。
【００２８】
ここで、ユーザはアイコンに対応した情報が知りたい場合は、該当するアイコンの選択を行えば（ステップＳ１５にてＹｅｓ）、アイコンに対応した日付情報の一覧リストを表示することができる（ステップＳ１７）。そして、一覧リスト内のスケジュールデータの詳細情報が知りたい場合は、該当するスケジュールデータを選択すれば（ステップＳ１８にてＹｅｓ）、該当するスケジュールデータの詳細情報及びスケジュールデータに登録された相手に対して発信又はメールの送信を行うか否かの選択画面も表示することができる（ステップＳ１９）。また、一覧リスト内のスケジュールデータの詳細情報が知りたくない場合は（ステップＳ１８にてＮｏ）、アイコンに対応した日付情報の一覧リストの表示画面のままである。
【００２９】
また、アイコンの選択を行わず（ステップ１５にてＮｏ）、待ちうけ画面内に表示されている各々のスケジュールデータを選択（反転表示したものを選択）した場合は、選択した反転表示のスケジュールデータの詳細表示及びスケジュールデータに登録された相手に対して発信又はメールの送信を行うか否かの選択画面の表示に移行することができる（ステップＳ１９）。反転表示を選択しない場合は（ステップ１６にてＮｏ）、アイコン表示を含む待ち受け画面のままである。
【００３０】
次に、スケジュールデータに登録された相手に対して発信をする場合は（ステップ２０にてＹｅｓ）、発信し通話することができる（ステップＳ２１）。ここで、発信を行う相手の電話番号が電話帳データに登録されている場合に限り、発信を行うことができる。通話が終了したら、アイコン表示を含む待ち受け画面表示に戻ることができる（Ｓステップ１４に戻る）。発信を行わない場合は（ステップ２０にてＮｏ）、スケジュールデータに登録された相手に対してメールの送信を行うか否かを選択し（ステップＳ２２）、メールの送信を行う場合は（ステップ２２にてＹｅｓ）、メールを作成し送信することができる（ステップＳ２３）。ここで、メール送信を行う相手のメールアドレスが電話帳データに登録されている場合に限り、メール送信を行うことができる。メールの送信を行わない場合は（ステップ２２にてＮｏ）、アイコン表示を含む待ち受け画面表示に戻ることができる（Ｓステップ１４に戻る）。
【００３１】
次に、該当するスケジュールデータの日付情報が現在の日付を過ぎた又はユーザが設定した期間内を現在の日付が過ぎた場合の画面表示処理について図６を用いて説明する。図６は、スケジュールデータの日付情報が現在の日付を過ぎた又はユーザが設定した期間内を現在の日付が過ぎた場合の画面表示処理手順を示すフローチャートである。まず、該当するスケジュールデータの日付情報が現在の日付を過ぎたか否か又はユーザが設定した期間内を現在の日付が過ぎた否かを報知制御部５１で判断し（ステップＳ３１）、過ぎた場合（ステップＳ３２にてＹｅｓ）は該当するスケジュールデータを対応する一覧リストから削除し（ステップＳ３３）、過ぎていない場合（ステップＳ３２にてＮｏ）は該当するスケジュールデータに対応する一覧リストの表示を継続する（ステップＳ３４）。更に、ステップＳ３３で一覧リストから削除されたスケジュールデータの他に一覧リスト上にスケジュールデータが存在している否か（スケジュール項目が存在するか否か）を報知制御部５１で判断し（ステップＳ３５）、存在する場合（ステップＳ３５にてＹｅｓ）は該当する一覧リストに対応するアイコン表示を継続し（ステップＳ３６）、存在しない場合（ステップＳ３５にてＮｏ）は該当する一覧リストに対応するアイコン表示を削除する（ステップＳ３７）。
【００３２】
【発明の効果】
このように本発明によれば、表示部７にアイコン表示を行なうことにより通信を促す報知を行なうように構成し、そのアイコンの選択操作によって該当するスケジュールデータの日付情報の詳細情報を参照することができ、更に、スケジュールデータに登録された相手に対して発信又はメールの送信が行なわれるように構成したので、スケジュールデータに登録された日付であることをユーザに判りやすく表示することができると共に、その相手に対する発信又はメール送信の操作の簡単化を図ることができる。さらに、このとき、日付情報の種別に応じたアイコン表示を行なうようにしたので、ユーザに対してスケジュールデータの種別を判りやすく知らせることができ、ユーザにとっての利便性をより向上させることができるものである。
【図面の簡単な説明】
【図１】本発明に関わる携帯端末装置の構成を示す図である。
【図２】本発明に関わる携帯端末装置の待ち受け画面表示の一例を示す図である。
（ａ）は携帯端末装置のメモリ４に記憶されているスケジュールデータの日付情報とタイマ部６の日付が一致した時に、表示部７に該当する通信相手の日付情報を促す表示を行なう一例である。
（ｂ）は携帯端末装置のメモリ４に記憶されているスケジュールデータの相手の日付情報とタイマ部６の日付がその近い日付になった時に、表示部７に該当する通信相手の日付情報を促す表示を行なう一例である。
【図３】本発明に関わる携帯端末装置の画面表示の一例を示す図である。（ａ）は図２（ａ）のアイコン２０３「フォークとナイフ」を選択した場合に表示される食事スケジュールリスト一覧の画面表示の一例である。本発明に関わる携帯端末装置の待ち受け画面表示の一例を示す図である。
（ｂ）は図３（ａ）の食事スケジュールリスト一覧の「Ｎｏ．１」を選択した場合に表示される詳細情報の画面表示の一例である。
（ｃ）は電話をかける相手の選択画面表示の一例である。
（ｄ）はメールを送信する相手のメール作成画面表示の一例である。
（ｅ）はスケジュール情報内に登録された相手が電話帳データに存在しない場合の画面表示の一例である。
【図４】本発明に関わる携帯端末装置の画面表示の一例を示す図である。
（ａ）は図２（ａ）のアイコン２０４「会」を選択した場合に表示される会議スケジュールリスト一覧の画面表示の一例である。本発明に関わる携帯端末装置の画面表示の一例を示す図である。
（ｂ）は図４（ａ）の会議スケジュールリスト一覧の「Ｎｏ．２」を選択した場合に表示される詳細情報の画面表示の一例である。
（ｃ）はスケジュール情報に記憶されている個別スケジュール一覧の画面表示の一例である。
【図５】スケジュールデータの日付情報に係る表示部の表示及び発信並びにメール作成に係る処理手順を示すフローチャートである。
【図６】スケジュールデータの日付情報が現在の日付を過ぎた又はユーザが設定した期間内を現在の日付が過ぎた場合の画面表示処理手順を示すフローチャートである。
【符号の説明】
１　　　アンテナ
２　　　無線回路部
３　　　スピーカー
４　　　メモリ
５　　　制御部
５１　　報知制御部
６　　　タイマ部
７　　　表示部
８　　　入力部
９　　　マイク
【図１】
2004088479.tif 000003
【図２】
2004088479.tif 000004
【図３】
2004088479.tif 000005
【図４】
2004088479.tif 000006
【図５】
2004088479.tif 000007
【図６】
2004088479.tif 000008